(57)【要約】  本発明は、コーヒー豆（５）を挽くためのグラインダ（１）であって、グラインダ（１）は、第１の挽砕工具（２）および第２の挽砕工具（８）を有していて、両挽砕工具（２，８）は挽砕間隙（１４）を形成しており、第２の挽砕工具（８）は、第１の挽砕工具（２）に対して相対的に回転可能である、グラインダ（１）において、グラインダ（１）は、作動中にも調節可能でコーヒー豆に伝達可能な力Ｆを第１の挽砕工具（２）または第２の挽砕工具（８）に加えるために、少なくとも１つの力発生装置（１５）を有している、グラインダ（１）、ならびにカフェイン含有の高温飲料を淹れる目的でコーヒー豆を挽くための方法に関する。
2021528140.tif 000002
【特許請求の範囲】
【請求項１】
コーヒー豆（５）を挽くためのグラインダ（１）であって、前記グラインダ（１）は、第１の挽砕工具（２）および第２の挽砕工具（８）を有していて、両挽砕工具（２，８）は挽砕間隙（１４）を形成しており、前記第２の挽砕工具（８）は、前記グラインダ（１）の作動中に前記第１の挽砕工具（２）に対して相対的に回転可能であり、もしくは前記第１の挽砕工具（２）に対して相対的に回転する、グラインダ（１）において、
前記グラインダ（１）は、前記グラインダの作動中にも調節可能で前記コーヒー豆に伝達される力Ｆを前記第１の挽砕工具（２）または前記第２の挽砕工具（８）に加えるために、少なくとも１つの力発生装置（１５）を有しており、前記力Ｆは、前記力Ｆが、前記力Ｆが加えられるそれぞれの前記挽砕工具をそれぞれ他方の前記挽砕工具の方向に押圧するように方向付けられていることを特徴とする、グラインダ（１）。
【請求項２】
前記グラインダ（１）の作動中に、前記両挽砕工具のうちの一方の挽砕工具（２または８）が、停止しており、前記両挽砕工具のうちの第２の挽砕工具（２または８）が、駆動ユニット、特にモータ（１０）によって回転可能に作動させられている、請求項１記載のグラインダ（１）。
【請求項３】
前記力発生装置（１５）は、前記第１の挽砕工具および／または前記第２の挽砕工具（２）に作用する、請求項１または２記載のグラインダ（１）。
【請求項４】
それぞれ１つの力発生装置（１５）が、前記第１の挽砕工具（２）と前記第２の挽砕工具（８）とに作用する、請求項１から３までのいずれか１項記載のグラインダ（１）。
【請求項５】
前記グラインダ（１）は、ディスクグラインダ、またはローラグラインダ、または円錐グラインダとして形成されている、請求項１から４までのいずれか１項記載のグラインダ（１）。
【請求項６】
前記力発生装置（１５）は、ばね、特に圧縮ばね（１６）を有しており、前記挽砕間隙（１４）は、一平面Ｅにわたって延在していて、前記ばねは、軸方向力を、前記平面Ｅに対して垂直に前記第１の挽砕工具（２）および／または前記第２の挽砕工具（８）に加える。請求項１から５までのいずれか１項記載のグラインダ（１）。
【請求項７】
前記力発生装置（１５）は、少なくとも１つのばねと、前記ばねの予荷重を調節するための装置（１７）、特にサーボモータの形態の装置（１７）とを有している、請求項１から６までのいずれか１項記載のグラインダ（１）。
【請求項８】
前記力発生装置（１５）は、空気力式の作用原理に基づいている、請求項１から７までのいずれか１項記載のグラインダ（１）。
【請求項９】
前記力発生装置（１５）は、流体式の作用原理に基づいている、請求項１から７までのいずれか１項記載のグラインダ（１）。
【請求項１０】
前記力発生装置（１５）は、電磁式の作用原理に基づいている、請求項１から７までのいずれか１項記載のグラインダ（１）。
【請求項１１】
前記グラインダ（１）は、前記ばねの予荷重を調節するために制御および／または評価ユニット（１８）によって、
ａ）コーヒー豆、特に豆種および豆種の焙煎程度、
ｂ）前記グラインダ（１）の温度、および／または
ｃ）前記グラインダ（１）の摩耗程度
に関連して、作動させられる、請求項１から１０までのいずれか１項記載のグラインダ（１）。
【請求項１２】
前記グラインダ（１）は、前記グラインダ（１）の熱膨張を求めるため、および前記力発生装置（１５）の制御および／または調整を行うために、温度センサを有している、請求項１から１１までのいずれか１項記載のグラインダ（１）。
【請求項１３】
前記グラインダ（１）は、最小の挽砕度を調節するために、ストッパを、特に調節可能なストッパを有している、請求項１から１２までのいずれか１項記載のグラインダ（１）。
【請求項１４】
請求項１から１３までの少なくとも１項記載の少なくとも１つのグラインダ（１）を備えたコーヒーマシン、特に全自動コーヒーマシン。
【請求項１５】
特に請求項１から１４までのいずれか１項記載のグラインダを用いて、カフェイン含有の高温飲料を淹れる目的でコーヒー豆を挽くための方法であって、
下記のステップ、すなわち、
Ｉ.  ２つの挽砕工具（２，８）の間の挽砕間隙（１４）内にコーヒー豆を収容するステップ、
ＩＩ.  前記両挽砕工具のうちの少なくとも一方の挽砕工具（２または８）に、好ましくは作動中にも調節可能なプロセス力を、それぞれ他方の挽砕工具の方向に力発生装置（１５）によって加えるステップ、および
ＩＩＩ.  確定された挽砕度を有するコーヒー粉を排出するステップ
を特徴とする方法。
【請求項１６】
プロセス力の値の調節を、コーヒー豆の種類、前記グラインダ（１）のモータ（１０）の出力、前記グラインダ（１）の温度、および／または従前の挽砕過程の回数に関連して行う、請求項１５記載の方法。
【請求項１７】
前記プロセス力の値の調節時に、補足的に被挽砕物の所望の挽砕度を考慮する、請求項１５または１６記載の方法。
【請求項１８】
切断工具の、豆内における夾雑物（木材、石）によって生ぜしめされたブロックを、力を加えることを中止することによって解決する、請求項１５から１７までのいずれか１項記載の方法。
【請求項１９】
調節可能な力を加えることによって、全自動コーヒーマシンにおいて、製品固有の挽砕度を調節する、請求項１５から１８までのいずれか１項記載の方法。
【請求項２０】
コーヒーマシン、特に全自動コーヒーマシンと、請求項１から１３までのいずれか１項記載のグラインダ（１）とを用いて、コーヒーを淹れるための方法であって、前記グラインダを用いてコーヒー豆を挽き、湯通しユニットにおいて挽かれたコーヒー豆もしくはこのとき得られたコーヒー粉と水とから、確定された種類のコーヒーを淹れるための方法において、
コーヒーの種類に応じて、挽砕の前に、コーヒーの種類の交換時に、例えばエスプレッソからカフェオレへの交換時に、自動的に挽砕度調節もしくは挽砕度変更を行うことを特徴とする方法。
【請求項２１】
前記プロセス力の値の調節を、制御回路によって調整し、前記制御回路は、前記制御および／または評価ユニット（１８）と、少なくとも１つの力センサ（２１，２２）を備えた少なくとも１つの力測定装置（２０）とを有している、請求項１５から２０までのいずれか１項記載の方法。
【請求項２２】
前記グラインダ（１）は、少なくとも１つの力センサ（２１，２２）を備えた少なくとも１つの力測定装置（２０）を有しており、前記少なくとも１つの力センサ（２１，２２）は、前記挽砕工具（２，８）に直接または間接的に接続されている、請求項１から１４までのいずれか１項記載のグラインダ（１）。
【請求項２３】
前記少なくとも１つの力センサ（２１，２２）は、前記制御および／または評価ユニット（１８）に接続されていて、前記制御および／または評価ユニット（１８）を有している制御回路の測定装置を形成している、請求項２２記載のグラインダ（１）。
【発明の詳細な説明】
【技術分野】
【０００１】
本発明は、請求項１の上位概念部に記載された、コーヒー豆を挽くためのグラインダ、およびコーヒー豆を挽くための方法、ならびにコーヒーマシン、特に全自動コーヒーマシンに関する。
【０００２】
コーヒー粉末の適切な粒度（Feinheit）は、コーヒーを効果的に淹れるための前提条件である。コーヒー粉末の適切な粒度は、どのような速度で水がコーヒー粉末を貫流することができ、かつどのような時間で芳香および嗜好剤をコーヒー粉末から溶かし出すことができるかを決定する。この時間は、抽出時間と呼ばれ、それぞれのコーヒー飲料の嗜好剤および芳香剤の適切な抽出のための品質臨界である。
【０００３】
コーヒー飲料の抽出強度は、圧着圧、水温、水質、および豆特性と並んで、コーヒー粉の挽砕度によって大きな影響を受ける。挽砕度は、どのような粒度で豆が挽かれるかを表す。コーヒー豆の挽砕過程時に、粒度の分布が発生し、つまりすべてのコーヒー粒子は、同一のサイズではなく、コーヒーにとって典型的な粒サイズ分布の影響を受ける。粒度分布の中央値Ｘ５０［μｍ］は、コーヒー粉の粒度を判断するために定評のある測定値である。中央値Ｘ５０［μｍ］は、量分布の中央に位置している粒子サイズの値（レーザ回折原理を用いた測定器では例えば理想化された玉直径）を表す。すなわちすべての粒子の一方の半分は、中央値よりも小さく、他方の半分は、中央値よりも大きい。
【０００４】
挽砕が細かければ細かいほど、粒子全表面はますます大きくなり、したがって水とコーヒー粉末との接触時間も長くなる。芳香剤の約１８〜２２％がコーヒーから溶け出すと、芳香と強さとの間のバランスの取れた比が発生する。エスプレッソを淹れる時における最適な接触時間は、２５〜３０秒の範囲にあり、フィルタコーヒーでは数分である。低抽出によって、酸味が強いコーヒー風味が生ぜしめられ、高抽出によって苦みが強いコーヒー風味が生ぜしめられる。エスプレッソ粉末の適切な挽砕度は、最大３５０μｍの中央値であり、カフェオレの適切な挽砕度は、５５０μｍほどであり、フィルタ挽砕では７００μｍほどである。
【０００５】
コーヒー粉末の挽砕度は、グラインダを備えたコーヒーマシンにおいて、通常調節することができる。高価なマシンは、それどころかグラインダの無段階式の調節を行うことができ、グラインダコンポーネントの後調整によって不所望の限界条件（例えば熱膨張、挽砕ディスク摩耗等）を補償する。幾つかのシステムは、適切な挽砕度調節を検査するために、コーヒー飲料の抽出時間を間接的な特徴として使用する。
【０００６】
品質的に高価なコーヒー飲料を淹れるためには、製品に関連した適切な挽砕度調節が最優先の役割を果たす。
【０００７】
従来技術に基づいて、主として、コーヒーマシンにおいて使用されるコーヒーグラインダの２つの定評のある構造形式が公知である。一方はディスクグラインダで、他方は円錐グラインダである。両グラインダ形式は、両グラインダが２つの挽砕工具から成っており、両挽砕工具の一方の挽砕工具が固定されていて、他方の挽砕工具は駆動されるという共通点を有している。一方の挽砕工具の回転運動によって、豆は挽砕間隙内に引き込まれ、先細りになる挽砕間隙幅を介してどんどん細かく挽かれる。両挽砕工具の最小間隔が、コーヒー粉末の、生ぜしめられた挽砕度のための基準である。挽砕度を変えるために、固定された工具を回転する工具に対して相対的に移動させることができ、これによって間隔が変化する。これらのシステムは、挽砕度を変化させるためのジオメトリに基づく方法である。
【０００８】
例えば欧州特許第２２８６６９９号明細書の技術的な教示によれば、コーヒーマシン用のグラインダが、駆動手段を介して回転軸線を中心にして駆動可能な第１の挽砕ディスクと、第２の挽砕ディスクとを有していることが提案されている。第２の挽砕ディスクは、ねじ込み部分において固定されており、このねじ込み部分は、ハウジング内にねじ込み可能であり、かつ調節手段によってハウジングに対して回転可能である。これによって両挽砕ディスクの間の挽砕間隙が調節可能である。調節手段は、ねじ込み部分に対して同軸に配置された駆動ホイールとして形成されており、この駆動ホイールは、調節手段を介して回転可能な調節ホイールと協働する。さらにグラインダは、挽くべきコーヒー豆を供給するための供給開口と、両挽砕ディスクの間で挽かれたコーヒーを排出するための排出開口とを有している。グラインダは、挽砕間隙を調節するための、無段階式に作動する中央の調節可能性を有している。
【０００９】
これらのグラインダシステムにおいて存在する問題は、最小の粒度程度を確定することができる０ポイントの確定である。このことが成功した場合にしか、直接かつ正確に、この０ポイントに関連して、製品のために適切な挽砕度を調節することができない。そのための前提条件は、グラインダの全構造における特に高い製造精度（例えばディスクグラインダにおける高い心振れ精度（Planlaufgenauigkeit））である。
【００１０】
さらに、汎用のコーヒーグラインダにおいては、グラインダコンポーネントの熱膨張、挽砕ディスク摩耗、豆交換等のような妨害影響は、（例えば抽出時間の評価を介して）間接的にしか補償することができない。特に熱影響は、挽砕度を変化させ、湯通しユニットにおけるコーヒー粉末の種々様々な膨潤特性を生ぜしめ、ひいては変動する作業時間の主要な原因となる。
【００１１】
このような事実によって、コーヒーマシンのグラインダを所望の製品および嗜好状態に理想的に合わせるために、しばしば長い調節サイクルが必要になる。さらに挽砕度は、通常、確定された製品のためにしか調節することができず、かつ確定された製品に対してしか調整することができない。
【００１２】
ゆえに本発明の課題は、冒頭に述べた形式のグラインダを、機能的に好適に改良することである。
【００１３】
本発明はこの課題を、請求項１の特徴を備えたグラインダ、請求項１４のコーヒーマシン、ならびに請求項１５および請求項２０の特徴を備えた方法によって解決する。
【００１４】
請求項１によれば、コーヒー豆を挽くためのグラインダであって、グラインダは、第１の挽砕工具および第２の挽砕工具を有していて、両挽砕工具は挽砕間隙を形成しており、第２の挽砕工具は、グラインダの作動中（つまりコーヒー豆の挽砕中）に第１の挽砕工具に対して相対的に回転可能であり、もしくは第１の挽砕工具に対して相対的に回転させられ、グラインダは、好ましくは作動中にも調節可能でコーヒー豆に伝達される力Ｆを第１の挽砕工具または第２の挽砕工具に加えるために、少なくとも１つの力発生装置を有しており、力Ｆは、力Ｆが、力Ｆが加えられるそれぞれの挽砕工具をそれぞれ他方の挽砕工具の方向に押圧するように方向付けられている、グラインダが提供される。しかしながらまた力は、作動時において挽砕工具の停止時に、もしくは作動中でない場合に加えることができる。
【００１５】
本発明に係るグラインダは、コーヒー豆を挽くために働く、もしくはコーヒー豆を挽くために設計されている。本発明に係るグラインダは、独立した機器として使用されても、しかしながらまたコーヒーマシン、例えば全自動コーヒーマシンに組み込まれて使用されてもよい。
【００１６】
グラインダは、第１の挽砕工具および第２の挽砕工具を含んでいる。両挽砕工具は、挽砕間隙を形成している、もしくは互いに向かい合っている側によってこのような挽砕間隙を画定している。この挽砕間隙は、平らに形成されていても、または中心に向かって増大するように形成されていてもよい。挽砕間隙は、好ましくは一平面を、好ましくは対称平面を定義している。
【００１７】
第２の挽砕工具は、第１の挽砕工具に対して相対的に回転可能に、特に例えばモータのような駆動ユニットによって回転可能に駆動される。
【００１８】
グラインダはさらに、挽くべきコーヒー豆に伝達される力Ｆを第１の挽砕工具または第２の挽砕工具に加えるために、少なくとも１つの力発生装置を有している。これによって挽砕工具の自重に、グラインダの作動中に、力発生装置によって加えられる調節可能な別の力がさらに追加される。力Ｆは、力Ｆが加えられるそれぞれの挽砕工具を、特に軸方向においてそれぞれ他方の挽砕工具の方向に押圧するように方向付けられている。つまり力発生装置は、両挽砕工具を互いに押し合わせ、従来技術に基づいて公知のように、互いに離反方向に押圧するのではない。
【００１９】
力を加えることは、いわば対応受けにおいて挽砕工具を支持することの代わりであり、調節可能な力によって、製品固有に最適で、かつプロセス条件の変化時にも十分に等しいままの挽砕度を得ることができる。
【００２０】
好ましくは、調節可能なプロセス力を加えることによって、製品固有の挽砕度が調節されるということが提案されていてよい。したがって、コーヒーの種類もしくは製品種類（例えばエスプレッソからカフェオレへの）の交換時に、ミルが組み込まれている全自動コーヒーマシンにおいて製品が提供される場合に、自動的に製品固有の挽砕度調節もしくは挽砕度変更が行われることも提案されていてよい。この挽砕度調節は、例えばエスプレッソ用の挽砕度調節からカフェオレ用の挽砕度調節への交換のために、本発明によって極めて迅速に実施可能である。調節もしくは変更は、極めて迅速に行われるので、場合によっては全自動コーヒーマシンにおいても、第２のミルさえ省くことができる。
【００２１】
相応に、請求項２０記載の本発明は、コーヒーマシン、特に全自動コーヒーマシンと、上に記載された関連する請求項のいずれか１項記載のグラインダとを用いて、コーヒーを淹れるための好適な方法であって、グラインダを用いてコーヒー豆を挽き、湯通しユニットにおいてコーヒー豆と水とから、確定された種類のコーヒーを淹れる方法において、コーヒーの種類に応じて、挽砕の前に、コーヒーの種類の交換時に（水および挽かれたコーヒーの量に応じて、かつ場合によってはミルクのような添加物に関連して）、例えばエスプレッソからカフェオレへの交換時に、自動的に挽砕度調節もしくは挽砕度変更を行うことを特徴とする方法を提供する。
【００２２】
グラインダの作動中に、両挽砕工具のうちの一方の挽砕工具が、停止しており、両挽砕工具のうちの第２の挽砕工具が、駆動ユニット、例えばモータによって回転可能に作動させられてよい。しかしながらまた両挽砕工具が、特に互いに逆方向に回転することも可能である。
【００２３】
力発生装置は、第１の挽砕工具と第２の挽砕工具とに作用することができ、これによって比較的均一に力が分配される。しかしながら力発生装置が、単に一方の挽砕工具に、特に両挽砕工具のうちの停止している挽砕工具にだけ作用すると、構造がより単純になる。
【００２４】
さらにそれぞれ１つの力発生装置が、第１の挽砕工具と第２の挽砕工具とに作用することも可能である。
【００２５】
この構成において変化形態によれば、力発生装置が、少なくとも１つのばねと、特にサーボモータの形態の、ばねの予荷重を調節するための装置とを有していることが提案されていてよい。この変化形態は、構造的に特に容易に交換可能であり、かつ良好に制御可能および／または調整可能である。
【００２６】
付言しておくと基本的には、挽砕工具（以下においては同義的に「切断工具」とも呼ぶ）のいずれの挽砕工具、駆動される挽砕工具または位置固定の挽砕工具が、プロセス力方向における自由度を有していて、この方向においていずれの挽砕工具に、アクティブに力が加えられるかは、さほど重要ではない。
【００２７】
力調整は、自動的に（例えばモータによって）、または手動で（例えば調節ホイールによって）行うことができる。モータ式の調節時には、閉ループ制御（Regelschleife）が考えられ、挽砕度は、最後の抽出時間が目標終了時間（Sollauslaufzeit）から離れている場合に変えられる。
【００２８】
力制御の構造上の変更は、種々様々な方法で実現することができる。１つの可能性は、機械式のばねを、公知の力・距離特性線を用いて確定された距離ｘだけ圧縮することである。
【００２９】
しかしながら、切断工具のうちの一方の切断工具に確定された力を加えるための別の解決策も存在する。まずここでは空気力式のアプローチが考えられ、一方の挽砕ディスク保持体を、可変の空気圧で他方の挽砕ディスク保持体にアクティブに押圧することができる。パッシブな変化形態は、固定の力・距離特性線を備えたガス圧ばねであり、このときグラインダにおいては単に確定された挽砕度しか調節することができない。しかしながらまたばねは、可変のガス圧によっても得られる。
【００３０】
しかしながらまた択一的に、力発生装置が流体の作用原理(Wirkprinzip)に基づくことも提案されていてよい。ディスクグラインダにおける挽砕工具もしくは切断工具の間隔は、挽砕時におけるプロセス力に関連して単に僅かに０.２ｍｍまでしか変化させる必要がないので、力の制御のためには、比較的高い圧縮モジュールの液体を用いた液圧式の解決策も可能である。このような場合であっても、システム内には挽砕時における緩衝作用が存在している。例えばゴムダイヤフラムが、力を加えるために働くことができ、このゴムダイヤフラムには、調整可能な減圧器を介して水が充填される。いずれにせよ液圧式のウォータシステムが、コーヒーマシンに存在しており、挽砕度調整のために使用することができる。
【００３１】
さらに力発生装置は、好ましくはまた、電磁式の作用原理に基づいていてよい。この解決策では可動の切断工具保持体は、可変の磁力に基づいて、位置固定の切断工具保持体に押圧される。磁力は、アンカとヨークとの間の間隔の増大と共に変化するので、電磁式のシステムにおいても、切断工具の間の挽砕プロセス時における力バランスを調節することができる。
【００３２】
グラインダは、同様に種々様々な形式で、例えば好ましくはディスクグラインダまたは円錐グラインダとして形成されていてよい。
【００３３】
力発生装置は、上に記載された構成に相応して、少なくとも１つの圧縮ばねを有していてよく、挽砕間隙は、一平面Ｅにわたって延在していて、圧縮ばねは、軸方向力を、平面Ｅに対して垂直に第１の挽砕工具および／または第２の挽砕工具に加える。
【００３４】
また複数のばね、特に圧縮ばねが設けられていてもよい。これらのばねは、回転する挽砕工具によって形成される回転軸線を中心にして対称的に配置されていてよく、これによって力を最適に分配して加えることができる。
【００３５】
このような構成のための圧縮ばねとしては、コイルばねが好適である。しかしながらまた他の形式のばねまたはばねアセンブリも使用可能である。
【００３６】
力発生装置は、ばね、特に圧縮ばねの予荷重を調節するための装置、特にサーボモータの形態の装置を有していてよい。このサーボモータは、好ましくは、制御および／または評価ユニットによって制御されかつ／または調整されるアクチュエータである。
【００３７】
サーボモータの調節は、
ａ）コーヒー豆、特に豆種および豆種の焙煎程度、
ｂ）グラインダの温度、および／または
ｃ）グラインダの摩耗程度
に関連して行うことができる。
【００３８】
例えばコーヒー豆の種類は、手動調節によって設定することも、または一方のまたは両挽砕工具を駆動するためのモータの出力によって確定することもできる。求められる出力は、制御および／または評価ユニットに格納されたデータセットとの実際値／目標値比較の枠内において、確定された挽砕度を得るための加えるべき力に関連した出力に、または確定された挽砕度を得るための加えるべき力に関連した豆タイプに関連して調節される。
【００３９】
別の変化形態によれば、ばねの使用時に相応の力・距離特性線がデータセットとして設定されていてもよく、このようになっていると、ばね力の所望の適合を、アクチュエータによって、求められた加えるべき力に関連して行うことができる。
【００４０】
同様にグラインダの温度または摩耗程度（挽砕過程の回数）を確定し、目標値／実際値比較によって、加えるべき力を相応に適合させることも可能である。
【００４１】
また重み付けの枠内における種々様々な値、例えば挽砕過程の回数と、豆種による重み付けとを互いに組み合わせることもでき、これによってより精確な摩耗特性をマッピングすることができる。
【００４２】
グラインダは、グラインダの熱膨張を求めるため、および力発生装置を制御するために、追加的に温度センサを有していてよく、これによって挽砕度の適合を達成することができる。
【００４３】
特に本発明に係るグラインダを用いて、カフェイン含有の高温飲料を淹れる目的でコーヒー豆を挽くための本発明に係る方法は、
少なくとも下記のステップ、すなわち、
Ｉ.  ２つの挽砕工具の間の挽砕間隙内にコーヒー豆を収容するステップ、
ＩＩ.  両挽砕工具のうちの少なくとも一方の挽砕工具に、調節可能なプロセス力を、それぞれ他方の挽砕工具の方向に力発生装置によって加えるステップ、および
ＩＩＩ.  確定された挽砕度を有するコーヒー粉もしくは被挽砕物を排出するステップ
を含んでいる。
【００４４】
好ましくは、プロセス力の値は、コーヒー豆の種類、グラインダのモータの出力、グラインダの温度、および／または先行する挽砕段階（Mahldurchgang）に関連して調節することができる。
【００４５】
プロセス力の値の調節時に、追加的に被挽砕物の所望の粒度程度を考慮することができる。粒度程度もしくは挽砕度に関する相応のデータセットは、制御および／または評価ユニットにおいて格納されていてよい。
【００４６】
挽砕過程時に、豆の切断によって、切断工具（挽砕ディスク）を互いに押し離す力が生ぜしめられる。プロセス力もしくは逆向きに作用する力発生装置によって加えられる力が強ければ強いほど、挽砕度はますます細かくなる。豆がもはや存在しない場合に、ディスク状の挽砕工具は圧着力によって互いに向かって押圧される。挽砕工具は通常、互いに引っ掛かることがないように構成されているので、結果としてグラインダが故障する可能性はない。
【００４７】
しかしながら空の豆容器の故障時には、挽砕ノイズおよび挽砕ディスクの平らな表面における損傷が生じる可能性がある。さらに不所望の熱作用も生じることがあり、このような熱作用は、コーヒー挽砕の品質に不都合に作用することがあり得る。それどころか円錐グラインダでは、切断工具のブロックが発生する可能性がある。この問題を解決するために好ましくは、グラインダは、最小の挽砕度を調節するために、ストッパ、特に調節可能なストッパを有していることが提案されていてよい。
【００４８】
この限りにおいては特に、軸方向可動の工具部分もしくは相応の挽砕工具が、ストッパに押圧されることが提案されていてよい。このリミットストッパは、グラインダの作動前に調節可能であり、同時に最小に生ぜしめるべき挽砕度を確定する。力を加える場合、理想的には、切断工具の間に単に最小の間隙だけが存在していなくてはならない。後で、挽砕過程時におけるプロセス力よりも大きな圧着力が設定されると、被挽砕物が、この挽砕ディスク間隙の細かさによって生ぜしめられる。
【００４９】
実地においては、挽砕ディスクグラインダの接触点（聞こえる挽砕ノイズの開始）が、グラインダの０ポイントのためのインジケータである。しかしながらこのインジケータは、挽砕ディスクの心振れ（Planlauf）およびミルフィッタの個々の聴覚に強く関連している。
【００５０】
０ポイントの適宜な客観的な調節は、例えば、下側のディスクおよび上側のディスクの確定された通電（elektrischer Durchgang）を認識するための追加的な装置を介して行うことができる（導電測定）。グラインダの汎用のバッチにおいて、豆の挽砕は、この基準点に関して常になお粒度分布における差異を惹起する。なぜならば間隙の精度は、ディスクの心振れ誤差に直接関係しているからである。しかしながら力制御された挽砕度調節時におけるこの０ポイント確定の使用には、大きな利点がある。なぜならば後の粒度調節は、単に力に関連しており、ストッパは単に、接触点が上回られることを阻止するためにだけ働くからである。さらにこのような構造は、極めて細かく調節されたグラインダおよび駆動装置の過負荷を回避する。極めて細かい挽砕度は、特にフィルタコーヒーを淹れる時に、不所望に長い抽出時間を生ぜしめる可能性がある。最後にこれによって、グラインダの構造における製造誤差をも補償することができる。
【００５１】
構造的にリミットストッパは、挽砕ディスク保持体のうちの一方の挽砕ディスク保持体のねじ山収容部を介して実現することができる。このとき保持体は、切断工具の接触点に至るまで回転させられ、次いでこの位置において固定されることができる。
【００５２】
これによって最小の粒度段階を構造的に調節可能に構成することができるので、切断工具は互いに摩耗し合うことができなくなる。
【００５３】
本発明に係る方法は、同様に相応のオプションによってさらに最適化することができる。例えば、豆内における夾雑物(Verunreinigungen)（木材、石）によって生ぜしめされた、切断工具のブロック(Blockade)を、力を加えることを中止することによって解決できることが提案されていてよい。このことは、切断工具ブロックの問題の簡単かつ効果的な解決策である。
【００５４】
グラインダは、好適な変化形態によれば、ディスクグラインダ、またはローラグラインダ、または円錐グラインダとして形成されていてよい。
【００５５】
方法の実施形態においては、プロセス力の値の調節は、制御回路（Regelkreis）によって調整され、制御回路は、制御および／または評価ユニットと、少なくとも１つの力センサを備えた少なくとも１つの力測定装置とを有している。このようにすると、粒子粒度に関するグラインダの直接的な調整を可能にするという利点が生じる。
【００５６】
そのためにグラインダは、別の実施形態では、少なくとも１つの力センサを備えた少なくとも１つの力測定装置を有しており、少なくとも１つの力センサは、挽砕工具に直接または間接的に接続されている。このような力センサは、市場において入手可能な高品質で安価な部材であってよい。そのためには例えば液圧式の圧力センサ、ロードセル、およびこれに類したものなどのような、種々様々な実施形態が適している。
【００５７】
さらに別の実施形態は、少なくとも１つの力センサが制御および／または評価ユニットに接続されており、制御および／または評価ユニットを有している制御回路の測定装置を形成しているように構成されている。制御および／または評価ユニットは、コンピュータを有していてよく、このコンピュータのプログラミングは、１つまたは複数の調整プログラムによって拡張することができる。
【００５８】
これによって下記の利点、すなわち、
熱膨張作用の補償、
（特に挽砕工具交換時における）グラインダの迅速な初期調整
豆交換時における粒度適合
という利点が生ぜしめられる。
【００５９】
別の好適な構成は、残りの従属請求項において開示されている。
【００６０】
次に本発明の実施例を、図面を参照しながら詳説する。図面は、単に本発明の詳細な説明のためにだけ働き、本発明を制限するものではない。記載された幾つかの特徴は、一般的な専門知識の枠内において、別の変化形態にも転用することができる。
【図面の簡単な説明】
【００６１】
【図１】コーヒー豆を挽くための本発明に係るグラインダの１変化形態を、断面して概略的に示す正面図である。
【図２】一連の挽砕実験の結果を示す線図である。
【図３】一連の挽砕実験の結果を示す別の線図である。
【図４】図１に示されたコーヒー豆を挽くための本発明に係るグラインダの別の変化形態を、断面して概略的に示す正面図である。
【図５】図１に示された本発明に係るグラインダを、力センサ装置と共に示す正面図である。
【００６２】
図１には、コーヒー豆５を挽くためのグラインダ１の形態の本発明に係る装置が、断面されて概略的に正面図で示されている。グラインダ１は第１の挽砕工具２を有している。第１の挽砕工具２は、ここでは図示されていないハウジング内に回動不能に支持されている。したがって第１の挽砕工具２は、グラインダ１の作動中に停止している。
【００６３】
第１の挽砕工具２は、ここでは挽砕ディスクとして形成されていて、ゆえに円筒形のカバージオメトリと中心の貫通開口３とを有している。挽砕工具２は、他の形態で、例えば挽砕コーンとして形成されていてもよい。貫通開口３は、充填ホッパ４によって貫通係合されていてよい。充填ホッパ４および貫通開口３を通して、装置１には挽くべきコーヒー豆５が供給される。グラインダ１は、他の嗜好品または食料品を挽くために設けられていてもよく、しかしながらグラインダ１は、好ましくはコーヒー豆５を挽くために設けられている。充填ホッパ４は、好ましくは、充填ホッパ４内におけるコーヒー豆５の不所望のブリッジ形成が阻止されるように形成されている。
【００６４】
第１の挽砕工具２は、充填ホッパ４とは反対の側に円錐形状の凹部６を有している。凹部６は、少なくとも１つの挽砕切刃７を有している。
【００６５】
グラインダ１は、第２の挽砕工具８を有している。第２の挽砕工具８は、第１の挽砕工具２に対して同軸に、かつ第１の挽砕工具２の下に配置されている。「下」という概念は、図１の図平面に関連している。
【００６６】
第２の挽砕工具８は、ここでは図示されていないハウジング内に回転可能に支持されている。したがって第２の挽砕工具８は、グラインダ１の作動中に回転する。
【００６７】
第２の挽砕工具８は、同様に円筒形のカバージオメトリを有している。第２の挽砕工具８は、また他の形態で、例えば挽砕コーンとして形成されていてもよい。第２の挽砕工具は、第１の挽砕工具に対して相対的に回転可能である。ここでは第２の挽砕工具８は、モータ１０の駆動軸９に回動不能に結合されているので、第２の挽砕工具８は、グラインダ１の作動中に回転運動させられ、これに対して第１の挽砕工具２は停止している。
【００６８】
このことは好適ではあるが、必須ではない。択一的に、第１の挽砕工具２が作動中に回転可能である、もしくは回転することができ、これに対して第２の挽砕工具８は停止していることも可能である。また、両挽砕工具が、例えば互いに逆の回転方向にかつ／または互いに異なった速度で回転可能であってもよく、このようにすると、常に両挽砕工具２，８の間において相対運動が生じる。
【００６９】
択一的にまた、両挽砕工具２，８のうちの一方の挽砕工具がモータ１０のロータである、軸なしの直接駆動形態か、またはモータ１０が伝動装置を介して両挽砕工具２，８のうちの一方の挽砕工具に作用する、間接的な駆動形態も可能である。第２の挽砕工具８は、モータ１０とは反対の側に、円錐形状の凹部１１を有している。凹部１１は、少なくとも１つの挽砕切刃１２を有している。
【００７０】
これによって第１の挽砕工具２の円錐形状の凹部６と、第２の挽砕工具８の円錐形状の凹部１１とは、一種のダブル円錐形状の挽砕室１３を形成しており、この挽砕室１３は、その外周部で挽砕間隙１４において開口している。挽砕間隙１４には、捕集装置（ここでは図示せず）が接続していてよく、この捕集装置は、挽砕間隙１４から進出するコーヒー豆、好ましくはコーヒー粉末を捕集し、抽出プロセスに供給する。
【００７１】
グラインダ１は、さらに少なくとも１つの力発生装置１５を有している。力発生装置１５は、ここでは第１の挽砕工具２に作用する。これによってそれぞれの力Ｆが、常に、つまり作動時において一方または両方の挽砕工具の回転中に、第１の挽砕工具２と第２の挽砕工具８との間に位置しているコーヒー豆に作用する。このことは好適ではあるが、必須ではない。力発生装置１５は、第２の回転可能な挽砕工具８に作用しても、または両挽砕工具２，８に作用してもよい。
【００７２】
力発生装置１５は、ここでは２つの圧縮ばね１６を含んでおり、これらの圧縮ばね１６には、相応の装置１７によって、例えばサーボモータによって、可変の予荷重距離Ｘだけ予荷重を加えることができ、これによって、第１の挽砕ディスク２に、ひいては作動中にコーヒー豆に作用するそれぞれの力Ｆの値が、可変もしくは調節可能である。
【００７３】
力発生装置１５は、図１に示されたのとは異なる形態で形成されていてもよい。このときに重要なことは、力作用であり、力Ｆの値が好ましくは可変もしくは調節可能なことである。力発生装置１５はまた、力Ｆの値が自動的にかつ／または無段階式に、コーヒーマシンの最優先の作動パラメータに関連して調整されるように形成されていてもよい。
【００７４】
これによって、挽砕度Ｃの確定された予調節を行うことが好適に可能である。それというのは、力Ｆは、挽砕度Ｃに、つまり挽かれたコーヒーの５０％中央値の粒子サイズによって特徴付けられた、コーヒー粉の挽かれた被挽砕物粒子のサイズ分布に、関連しているからであり、このことについては、後でさらに説明する。
【００７５】
さらに、コーヒー豆にグラインダ１によって作用する力は、挽くべきコーヒー豆５および所望の挽砕度Ｃに関連して、好ましくは力発生装置によって調節することができる。好ましくは、そのために挽砕度Ｃおよび豆タイプ、ならびに力発生装置によって生ぜしめるべき力に関するデータセットが、コーヒーマシン、特にグラインダ１を制御するための制御および／または評価ユニット１８のデータメモリにおいて格納されている。上に述べた制御および／または評価ユニット１８は、グラインダ１に対応配置されていても、または例えば全自動コーヒーマシンであるコーヒーマシンの一部であってもよい。
【００７６】
つまり挽砕度Ｃの調節は、豆固有に調整することができる（例えば硬い／強く焙煎された豆なのか、あるいは僅かしか強く焙煎されなかったカフェオレ豆なのか）。これについては図３も参照。
【００７７】
択一的に豆種は、モータ１０を作動させる挽砕出力の出力差によっても確定することができる。
【００７８】
さらに、挽砕度Ｃの力制御された調節によって、挽砕度Ｃの持続的な再現性を、挽砕工具の摩耗時にも可能にすることができる。そのために、時間的な摩耗に対する特性線を豆タイプに応じて格納することができる。挽砕過程の回数は、使用される豆タイプに応じて種々様々に重み付けすることができる。したがって例えば「硬い」豆タイプの１００挽砕過程の後では、後調整を装置１７によって行うことができる。
【００７９】
同様に挽砕度Ｃの力制御された調節によって、好ましくは、特に挽砕工具２，８の熱膨張作用を補償することができる。そのために図示されていない温度センサが、コーヒー豆の温度をグラインダ１からの進出時に検出することができ、挽砕工具の材料の熱膨張係数の考慮下で、力発生装置の力、特に圧縮ばねの予荷重を相応に調整することができる。
【００８０】
さらに例えば挽砕工具２，８の心振れ誤差（Planlauftoleranz）のような、挽砕工具２，８の製造精度は、グラインダ１の「挽砕度０位置」に対して、他の挽砕装置よりも著しく僅かな妨害影響しか及ぼさない。
【００８１】
結果として、グラインダ１の挽砕出力Ｏおよびグラインダ１の作動中に生ぜしめられる挽砕度Ｃは、比較的僅かしか変動しない。
【００８２】
ここに記載されたグラインダ１は、エスプレッソ豆を含むコーヒー豆の挽砕度Ｃを、力発生装置１５を介して力制御して変化させるという可能性を開示している。
【００８３】
本発明の思想は、挽砕工具２，８に作用する力Ｆと、これによって生じるコーヒー豆の粒子サイズの分布との間の関係に基づいている。挽砕間隙１４が狭ければ狭いほど、生ぜしめられる被挽砕物はますます細かくなり、かつ挽砕工具２，８を互いに押し離す力Ｆも大きくなる。従来技術の構成では、この力は上側の挽砕工具を介して挽砕ハウジングによって受け止められる。
【００８４】
挽砕工具２，８の決定されたジオメトリと、これによって生じる、力の値と挽砕度Ｃとの間の関係との間の関係は、経験に基づいて求めることができる（図２参照）。このことに基づいて得られた認識は、装置１の挽砕度Ｃを持続的にかつ正確に調節するために使用することができる。力の値が知られている場合には、これらの値は、目的に合った挽砕度Ｃを生ぜしめるために、確定された段階付けにおいて設定することができる（図３参照）。
【００８５】
図２には、一連の挽砕実験の結果が示されている。このとき上側の挽砕ディスク２には、異なった力Ｆが加えられ、それぞれ３回の挽砕がバチオネロ（Bacio Nero）豆を用いて実施された。その後でコーヒー粉末は、粒子測定器によって測定された（レーザ回折に基づく測定）。種々様々な挽砕試料は、３つの特性線、粒度測定１〜３に相当しており、粒度分布（挽砕度Ｃ）の中央値（Median）はそれぞれ特徴として使用される。
【００８６】
同時に装置１の挽砕出力Ｏが、つまり毎秒の装置１のアウトプット挽砕量が記入されている。装置１は、モータ１０によって、それぞれ５秒の長さに対して電圧供給２３０Ｖ、５０Ｈｚで駆動制御された。図３には、挽砕度Ｃへの力Ｆの値の影響と、種々様々な豆を挽く場合における挽砕出力Ｏが示されている。ここでは、バチオネロ、ラタッツァベルデ（La Tazza Verde）（Melitta）である豆種、および比較種が挽かれた。ここでも再び挽砕出力Ｏおよび挽砕度Ｃは、挽砕工具２，８に作用する種々様々な値の力Ｆにおいて固定された。
【００８７】
したがって実験によれば、挽砕工具２，８の製造精度がある一定の誤差内にある限り、挽砕出力Ｏと豆の挽砕度Ｃとの間において良好な相関関係が存在するということが示された（図２および図３参照）。つまり挽砕工具２，８の特性が知られている限り、種々様々なグラインダの挽砕出力Ｏから、生ぜしめられる挽砕度Ｃを高い精度で推測することができる。
【００８８】
この前提条件下で、所望の粒子サイズ分布もしくは所望の挽砕度Ｃが得られる、豆固有の力Ｆを推測することができる。基準焙煎および基準豆の特性が記憶されているデータベースを用いて、現在の焙煎および豆のための所望の粒子サイズ分布もしくは所望の挽砕度Ｃを調節するために、力Ｆの調整を行うことができる。他の豆または焙煎が使用されること、または焙煎または豆種のバッチ（Charge）を異なった形式で挽くことができることに基づいて、所属の力Ｆに対する挽砕出力Ｏが変化するや否や、システムは独自に、挽砕度に関連したファクタだけ後調整を行う（nachregeln）。すなわち力Ｆは、このとき再び所望の粒子サイズ分布もしくは所望の挽砕度Ｃを得るために、適合させられる。
【００８９】
さらに全自動コーヒーマシンの予調節のために、挽砕度Ｃに対する挽砕出力Ｏの関係を挽砕工具固有に確定することが考えられる。このようにすると確定された挽砕工具、およびそこで挽くべき焙煎または豆種のために、高められた精度を生ぜしめることができ、これによって力Ｆの値が設定されている場合に、要求される挽砕度Ｃを調節することができる。
【００９０】
装置１の挽砕出力Ｏは、既に公知の方法によって求めることができる。すなわち、間接的な可能性は、設定された圧着力時における、抽出プロセスにおいて存在するコーヒー粉末のケーキ高さを介して、抽出プロセスのために準備されたコーヒー粉末の重量を推測することである。ピストンコーヒーマシンは、いずれにせよ存在している湯通しユニットに基づいてこの可能性を提供する。グラインダの駆動制御時間は設定されるので、挽砕出力Ｏを推測することができる。
【００９１】
直接的な可能性は、コーヒー粉末の計量（Auswiegen）である。これは、挽かれたコーヒー粉末をセット引出し内にもたらし、セット引出しをロードセルによって監視することによって自動化することができる。
【００９２】
挽砕度Ｃの力制御された調節の別の使用可能性は、装置１と、湯通し水とコーヒー粉末との間の接触時間の調整との組合せである。等しいままの配分の溶かされた芳香剤を備えた、一定の飲料品質を生ぜしめるためには、等しいままの量のコーヒー粉末を、同一の挽砕度Ｃで、設定された水量によってある一定の時間において貫流することが必要である。水温、圧着圧、および湯通し圧のような別の基本条件は、湯通し過程時に同様に可能な限り一定に保つことが必要であり、これによってコーヒーの膨潤特性を同等に、ひいては湯通し水とコーヒー粉末との間の接触時間を同一に保つことができる。
【００９３】
図４には、図１に示されたコーヒー豆を挽くための本発明に係るグラインダ１の別の変化形態が、断面されて概略的な正面図で示されている。
【００９４】
図１と同様に図４に示されているように、本発明に係るグラインダ１の別の変化形態も考えられ、挽砕工具２と圧縮ばね１６との間にそれぞれ１つの転動体１９が配置されていてよい。この転動体１９は、転動体ケージを備えたころがり軸受、例えば玉軸受またはニードル軸受であってもよく、このとき圧縮ばねは転動体ケージに載置されている。ころがり軸受は、充填ホッパ４に対して同軸に延在していてよい。転動体支持装置は、それぞれの圧縮ばねの結合点が一緒に回転することなしに、挽砕工具２の回転を可能にする。
【００９５】
これによって１つの回転する工具要素にも力を加えることができ、例えば両工具要素に力を加えることもできる。
【００９６】
図５には、図１に示された本発明に係るグラインダが、力センサ装置２０と共に正面図で示されている。
【００９７】
力センサ装置２０は、両挽砕工具２，８のうちの一方の挽砕工具と協働するように配置されている。２つまたはそれ以上の力センサ装置２０が設けられていてよい。力センサ装置２０は、少なくとも１つの力センサ２１，２２を有している。
【００９８】
ここで図示されているように、第１の力センサ２１を備えた第１の力センサ装置２０は、停止している挽砕工具８と協働しており、第２の力センサ２２を備えた第２の力センサ装置２０は、第１の挽砕工具２と協働している。
【００９９】
それぞれの力センサ２１，２２は、所属の挽砕工具２，８に直接または間接的に接続されている。
【０１００】
力センサ２１，２２は、例えば圧力センサ（例えばロードセル、液圧式の圧力センサ）であってよく、この圧力センサはそれぞれ、力を挽砕過程中に直接または間接的な測定によって検出する。
【０１０１】
力測定装置２０は、制御および／または評価ユニット１８に接続されていて、制御回路の測定装置を形成している。制御および／または評価ユニット１８は、少なくとも１つの目標値／実際値比較器および調節値発生器を有しており、この調節値発生器は、グラインダ１の、図示されていないが容易に想像可能な電気式の粒度調節装置に連結されている。
【０１０２】
グラインダの種々様々な豆の軸方向力と粒度との関係は、経験的に求めることができるので、グラインダ１は電気式の粒度調節装置を介して、所望の挽砕度を調節すること、およびこの挽砕度を傷害ファクタ（温度、豆交換、挽砕ディスク交換）に対してこの制御回路によって調整することができる。
【０１０３】
これによって下記の利点、すなわち、
熱膨張作用の補償
（特に挽砕工具交換時における）グラインダの迅速な初期調整
豆交換時における粒度適合
粒子粒度に関するグラインダ１の直接的な調整（コーヒーケーキの抽出時間に関する間接的な調整）
といった利点が生ぜしめられる。
【符号の説明】
【０１０４】
１  グラインダ
２  挽砕工具
３  貫通開口
４  充填ホッパ
５  コーヒー豆
６  凹部
７  挽砕切刃
８  挽砕工具
９  駆動軸
１０  モータ
１１  凹部
１２  挽砕切刃
１３  挽砕室
１４  挽砕間隙
１５  力発生装置
１６  圧縮ばね
１７  装置
１８  制御および／または評価ユニット
１９  転動体
２０  力センサ装置
２１  センサ
２２  センサ
Ｆ  力
Ｘ  予荷重距離
Ｃ  挽砕度
Ｏ  挽砕出力
【図１】
2021528140.tif 000003
【図２】
2021528140.tif 000004
【図３】
2021528140.tif 000005
【図４】
2021528140.tif 000006
【図５】
2021528140.tif 000007
【国際調査報告】
2021528140.tif 000008
2021528140.tif 000009
2021528140.tif 000010
2021528140.tif 000011
2021528140.tif 000012